(57)【要約】【課題】ビデオサーバ装置のアクセス頻度が多くなると、それに比例してビデオサーバ装置へのアクセス失敗回数も増え、放送時のオンエア事故となり、オンエア事故を皆無にするあるいは軽減するための放送システムの実現が望まれている。【解決手段】番組素材を収録する第１の記録領域を有するビデオサーバ装置と、上記ビデオサーバ装置から上記番組素材を読出し、送出する送出制御部および上記ビデオサーバ装置と上記送出制御部を制御する制御用コンピュータを有し、上記制御用コンピュータは、所定の放送スケジュールを備え、上記制御用コンピュータは、上記所定の放送スケジュールの番組に基づき上記第１の記録領域の番組素材を読出し、番組毎にパッケージ化し、上記ビデオサーバ装置の第２の記録領域に収録するように構成される。【選択図】図１
2008028703.tif 000002
【特許請求の範囲】
【請求項１】
番組素材を収録する第１の記録領域を有するビデオサーバ装置と、上記ビデオサーバ装置から上記番組素材を読出し、送出する送出制御部および上記ビデオサーバ装置と上記送出制御部を制御する制御用コンピュータを有し、上記制御用コンピュータは、所定の放送スケジュールを備え、上記制御用コンピュータは、上記所定の放送スケジュールの番組に基づき上記第１の記録領域の番組素材を読出し、番組毎にパッケージ化し、上記収録サーバ装置の第２の記録領域に収録することを特徴とする放送システム。
【請求項２】
請求項１記載の放送システムにおいて、上記送出制御部は、上記第１の記録領域に収録されている番組素材を上記放送スケジュールに従って読み出す第１の機能と、上記第２の記録領域に収録されているパッケージ化された番組を上記放送スケジュールに従って読み出す第２の機能を有し、上記制御用コンピュータの制御に基づいて上記第１と第２の機能を切替えることを特徴とする放送システム。
【発明の詳細な説明】
【技術分野】
【０００１】
本発明は、放送システムに関し、特に、オンエア事故を軽減する放送システムに関するものである。
【背景技術】
【０００２】
放送番組の制作から送出までの大まかな流れは、まず、番組の構成を計画し、その計画に従って適切な素材を集めて放送番組のビデオサーバ装置に収録する。そして、番組放送スケジュールに基づいて各番組素材をビデオサーバ装置から読み出して送出装置から送出するというものである。この場合、放送番組の収録作業において、素材の供給は、磁気テープ等の記録媒体を用いて行われる場合と通信回線を介して行われる場合等がある。前者の場合は、例えば、ビデオカメラで撮影された放送素材やこれら放送素材を加工、編集したものを記録した記録媒体を放送局に持ち込む等による供給であり、後者の場合は、例えば、カメラで撮影された映像やＣＭ製作スタジオ等からの通信伝送路による放送素材の供給である。
【０００３】
近年、テレビジョン放送システムのディジタル化が急速に発展するにつれ、ビデオサーバ装置に収録された番組素材を送出装置で送出する、所謂、オンエア送出には、従来のＶＴＲ(ビデオテープレコーダ)を用いて放送業務を行う放送システム、いわゆるＶＴＲ放送システムに代えて、ノンリニア放送システムと呼ばれるシステムが、放送業務用として使用され始めてきている（例えば、特許文献１参照）。
【０００４】
このノンリニア放送システムは、複数の番組素材を、ランダムアクセスが可能な記憶装置に予め記録しておき、自動放送システムからの指示により、順次、放送スケジュールに従って、各番組素材毎に選択して読出すことにより、複数の番組素材が所定の順序で時系列的に並んだ放送プログラムとして組立てられるようにし、これを放送するようにしたシステムである。このようなシステムを、以下、ノンリニア放送システムと呼ぶことにする。ここで、番組素材とは、映像情報と音声情報のうち、少なくとも映像情報を含むテレビジョン放送用の情報のことを指し、従って、番組素材の集合が番組となる。なお、この番組素材については、放送素材と呼ばれる場合もある。
【０００５】
このようなノンリニア放送システムとしては、従来から、例えば図２に示すような放送システムが用いられている。以下このノンリニア放送システムについて簡単に説明する。図２において、２０１は、放送管理コンピュータ、２０２は、自動放送システムである。この自動放送システム２０２には、送出制御部２０３と、ビデオサーバ装置２０４およびモニタ２０５が備えられている。ビデオサーバ装置２０４は、多数の番組素材２０６を適宜収録し、また、送出制御部２０３の制御によりビデオサーバ装置２０４に収録された多数の番組素材が適宜読み出され、オンエアのために番組素材の送出（２０７）をする働きをする。
【０００６】
放送管理コンピュータ２０１は、放送業務に関する全てのデータを管理する働きをするもので、その処理の一環として、例えば、１日分あるいは１週間分の放送プログラムに必要な複数の素材の放送スケジュールを、対応する素材のそれぞれが放送される順番に収録されている放送進行データとして保持し、それを自動放送システム２０２に供給する処理を行う。図３は、例えば、２００６年７月２日の１日分の放送プログラムに必要な複数の素材の放送スケジュール表の一部を例示するもので、時間は、２００６年７月２日の放送開始の時間、例えば、１２時、００分、００秒を表し、番組の長さは、その番組の放送時間、例えば、１５秒間を表す。素材ＩＤは、例えば、番組素材を特定するためのＩＤ番号で、図３に示されるＡ社のＣＭの場合、ＡＣ１で示されている。番組の内容は、例えば、Ａ社のＣＭというタイトルを表す。番地は、その放送の番組素材が格納されているビデオサーバ装置２０４の収録番地を示している。そして、このような内容が、例えば、各日時毎に放送スケジュールとして前もって計画し、作成され、放送管理コンピュータ２０１の記録部（図示せず。）に蓄積され、放送時に自動放送システム２０２に供給される。
【０００７】
自動放送システム２０２は、図３で示す放送スケジュール表に従って、まず、各々の素材の放送開始時刻の所定時間前になったとき、その素材の素材ＩＤ(素材に対する識別コード)を送出制御部２０３に供給する。次に、各々の素材の放送開始時刻になったとき、その素材の放送開始命令を送出制御部２０３に供給する。ビデオサーバ装置２０４は、磁気ディスク装置、光ディスク装置、ＤＶＤ（Digital Versatile Disk）装置等のランダムアクセスが可能な記録装置で構成され、放送プログラム１日分あるいは１週間分の素材を予め格納保持すると共に、送出制御部２０３の制御のもとで動作するようになっている。従って、送出制御部２０３は、自動放送システム２０２から供給された素材ＩＤを用いてビデオサーバ装置２０４内の素材を検索し、キューアップ(放送開始可能状態にすること)し、素材の放送開始命令に応じて、順次、キューアップされた素材をビデオサーバ装置２０４から読み出して放送装置に送出する働きをすることになり、これにより自動放送システムとしての動作を行なう。
【０００８】
モニタ２０５は、自動放送システム２０２により制御され、放送業務の現在の進行状況を表示する働きをする。このモニタ２０５には、例えば、現在放送している素材を含む番組(複数の素材の集合)の識別コード、番組名、放送開始時刻、素材の長さ、素材の識別コード等、現在放送中の素材のデータ及び次に放送する予定の素材のデータなどが表示される。従って、このノンリニア放送システムによれば、モニタ２０５を見ることにより、放送プログラムが予定通りに進んでいるか否かを知り、放送進行状況を確認することができる。
【０００９】
而して、このような従来のノンリニア放送システムのビデオサーバ装置２０４には、各ユーザ等からのＣＭ（Commercial Message）素材、本編素材（ドラマや映画等の本放送素材をいう。）、静止画素材、音声素材、スーパー素材（スーパーインポーズ素材をいう。）等が別々の素材ＩＤとして登録され、図３に示される放送スケジュール表に従って、送出制御部２０３がビデオサーバ装置２０４をアクセスし、放送スケジュール表に従ってオンエアすることでノンリニア放送システムが構成されている。
【００１０】
このような場合、送出制御部２０３は、オンエア時に各々素材単位にビデオサーバ装置２０４をアクセスするため、ビデオサーバ装置２０４の記録媒体を、例えば、１日当たり数千回アクセスすることになる。しかしながらアクセス頻度が多くなると、それに比例してビデオサーバ装置２０４の記録媒体へのアクセス失敗回数も増えビデオサーバ装置２０４の負荷となっている。このような膨大なアクセス件数となることで、アクセスによる事故が発生し、結果として放送時のオンエア事故となる。このような放送時のオンエア事故は、放送という公共の放送局では、大きな問題となり、オンエア事故を皆無にするあるいは軽減するための放送システムの実現が望まれている。
【００１１】
【特許文献１】特開２０００−２０１１２１号公報
【発明の開示】
【発明が解決しようとする課題】
【００１２】
ビデオサーバ装置のアクセス頻度が多くなると、それに比例してビデオサーバ装置へのアクセス失敗回数も増え、放送時のオンエア事故となり、オンエア事故を皆無にするあるいは軽減するための放送システムの実現が望まれている。
【００１３】
本発明の目的は、オンエア事故のない放送システムを提供することである。
【００１４】
本発明の他の目的は、放送素材のアクセス回数を減らす放送システムを提供することである。
【００１５】
本発明の更に他の目的は、ノンリニア放送システムを二重系にした放送システムを提供することである。
【課題を解決するための手段】
【００１６】
本発明の放送システムは、番組素材を収録する第１の記録領域を有するビデオサーバ装置と、上記ビデオサーバ装置から上記番組素材を読出し、送出する送出制御部および上記収録サーバ装置と上記送出制御部を制御する制御用コンピュータを有し、上記制御用コンピュータは、所定の放送スケジュールを備え、上記制御用コンピュータは、上記所定の放送スケジュールの番組に基づき上記第１の記録領域の番組素材を読出し、番組毎にパッケージ化し、上記収録サーバ装置の第２の記録領域に収録するように構成される。
【００１７】
また、本発明の放送システムにおいて、上記送出制御部は、上記第１の記録領域に収録されている番組素材を上記放送スケジュールに従って読み出す第１の機能と、上記第２の記録領域に収録されているパッケージ化された番組を上記放送スケジュールに従って読み出す第２の機能を有し、上記制御用コンピュータの制御に基づいて上記第１と第２の機能を切替えるように構成される。
【発明の効果】
【００１８】
以上説明したように、本発明によれば、オンエア前に放送スケジュールに従って本編素材、ＣＭ素材、静止画素材、音声素材等を１番組枠内の放送素材としてパッケージ化し、放送時に放送素材をパッケージとしてオンエアすることでアクセス回数を少なくし、事故をなくすことができる。また、番組素材の緊急の変更に備えてノンリニア放送システムの機能も備えることで信頼性の高い放送システムを実現できる特徴がある。
【発明を実施するための最良の形態】
【００１９】
本発明の一実施例を図面を用いて説明する。図１は、本発明の一実施例の概略構成を示すブロック図である。図１において、１０１は、上位システムであり、例えば、図２に示される放送管理コンピュータ２０１および自動放送システム２０２を含んでいる。１０２は、番組素材に関するデータ、即ち、素材ＩＤ、放送される日時、番組の日時、番組内容等の番組素材のデータサーバ（以下、単にデータサーバ１０２と略称する。）であり、ＣＭ素材、本編素材、静止画素材、音声素材、スーパー素材等の番組素材に関するデータが収録されている。１０３は、映像音声素材供給部であり、例えば、カメラで撮影された映像やＣＭ製作スタジオ等から通信伝送路を介して放送局に送られ、ビデオサーバ装置１０７の記憶領域１１１に蓄積される。１０４は、映像音声再生装置、例えば、ＶＴＲである。例えば、ビデオカメラで撮影された番組素材やこれら番組素材を加工、編集したものを記録した記録媒体を放送局に持ち込み、映像音声再生装置１０４で再生し、ビデオサーバ装置１０７の記憶領域１１１に蓄積される。そして、番組素材がビデオサーバ装置１０７の記憶領域１１１に記憶される毎に、記憶領域１１１のどの領域に記憶されたかを示す記憶アドレス情報等が素材ＩＤと関連付けてデータサーバ１０２に蓄積される。なお、上記説明では映像音声素材供給部１０３、映像音声再生装置１０４からの各種データがビデオサーバ装置１０７の記憶領域１１１に蓄積されるとして説明したが、実際は、放送用に適した番組の長さ、構成等、各種データを編集して蓄積されるが、本発明には直接関係しないので、説明は省略する。
【００２０】
１０５は、制御用コンピュータであり、上位システム１０１の放送管理コンピュータ２０１と連動し、後述する放送システムの動作を制御している。なお、制御用コンピュータ１０５は、放送管理コンピュータ２０１と一体に構成することもできるが、本実施例では、独立した制御用コンピュータとして説明する。１０６は、バスラインであり、制御信号、映像信号、音声信号等の各種信号が伝送される。このバスラインは、例えば、ＬＡＮ（Local Area Network）等の伝送路で構成することもできる。１０７は、ビデオサーバ装置であり、放送のための番組素材が後述するような放送スケジュールに従って収録されている。１０８は、スイッチャー、１０９は、スーパーインポーズ装置である。なお、ビデオサーバ装置１０７は、記録領域１１１（第１の記録領域という。）と１１２（第２の記録領域という。）に分かれている。なお、第１と第２の記録領域は、物理的に分かれていても、また、分かれていなくてもよい。また、同一の記録装置であっても、別々の記録装置であってもよい。１１３は、出力端子、１１４は、操作表示部である。
【００２１】
以下、図１に示される放送システムの動作を説明する。まず、番組素材のデータサーバ１０２には、映像音声供給部１０３および映像音声再生部１０４から送られるＣＭ素材、本編素材、静止画素材、音声素材、スーパー素材等の番組素材に関するデータが蓄積されている。この番組素材に関するデータとは、例えば、図４、図５に示すような素材ＩＤ、放送される日時、番組の長さ、番組のタイトル（内容）等である。
【００２２】
図４は、ＣＭ素材に関するデータの一実施例を示すもので、例えば、素材ＩＤは、それぞれのＣＭ素材を選択する場合のインデックスであり、ＡＣ１は、Ａ社のＣＭ素材を表している。日・時間は、そのＣＭ素材が放送される日時を示し、例えば、ＡＣ１は、２００６年７月２日、１２時００分００秒に番組の長さ１５秒間ＣＭデータを放送することを示している。また、図５は、映画番組の放送素材に関するデータの一実施例を示している。例えば、素材ＩＤのＡＭ１は、２００６年７月２日、１２時００分１６秒から２８分４５秒間、映画番組ＡＭ１を放送することを示している。なお、図４および図５は、一例を示すもので、データサーバ１０２には、先に説明したＣＭ素材、本編素材、静止画素材、音声素材、スーパー素材等の放送時に使用される番組素材に関するデータが蓄積されている。
【００２３】
次に、ビデオサーバ装置１０７について説明する。先にノンリニア放送システムの説明で、放送管理コンピュータ２０１は、放送業務に関する全てのデータを管理する働きをするもので、その処理の一環として、例えば、１日分あるいは１週間分の放送プログラムに必要な複数の素材の放送スケジュールが図３に示すように作成され、蓄積されることを説明した。従って、本発明の一実施例でもこれとほぼ同じものが上位システム１０１の放送管理コンピュータにも設けられている。そして、この放送スケジュールに対応する番組素材がビデオサーバ装置１０７の記録領域１１１に蓄積される。これについて図６を用いて説明する。
【００２４】
図６は、ビデオサーバ装置１０７の記録領域１１１（第１の記録領域）に収録される各番組素材に関するデータの一実施例を示している。図６（Ａ）は、記録領域１１１の所定の記録領域に記録されたＣＭ素材に関するデータを模式的に示している。例えば、Ａ社のＣＭ１は、素材ＩＤがＡＣ１で、ＣＭ１の番組素材が記録領域１１１の番地１１１に記録している。そして、データサーバ１０２に記録されている図４のとおり、放送開始日時は、２００６年７月２日、１２時００分００秒、放送時間は１５秒であり、ＣＭデータは、ＣＭＤ１として記録される。同様に、Ａ社のＣＭ２は、素材ＩＤがＡＣ２で、ＣＭ２の番組素材が記録領域１１１の番地１１２に記録している。そして、放送開始日時は、２００６年７月２日、１２時２９分００秒、放送時間は１分であり、ＣＭデータは、ＣＭＤ２として記録される。以下同様に記録される。
【００２５】
図６（Ｂ）は、記録領域１１１（第１の記録領域）の所定の記録領域に記録された本編素材に関するデータを模式的に示している。なお、図６（Ｂ）の本編素材は、映画番組を一例として示している。図６（Ｂ）において、映画番組１は、素材ＩＤがＡＭ１である。そして、データサーバ１０２に記録されている図５のとおり放送開始日時は、２００６年７月２日、１２時００分１６秒、放送時間は２８分４５秒であり、映像データは、Ｄ１として番地２５０に記録される。また、映画番組１５も同様に素材ＩＤがＢＭ１５で、放送開始日時は、２００６年７月２日、１６時１５分００秒、放送時間は、１時間であり、映像データは、番地２７１に記録される。
【００２６】
ここで、ビデオサーバ装置１０７の記録領域１１１に収録される番組素材の収録方法について簡単に説明する。ビデオサーバ装置１０７に収録される番組素材は、送出制御部１１０からの送出開始指令で、ビデオサーバ装置１０７に収録されている番組素材が読み出され、出力端子１１３からオンエアされる。従って、例えば、３０分の番組がＣＭと映画番組で構成する場合には、ＣＭと映画番組で丁度３０分になるようにビデオサーバ装置１０７に番組素材が収録される必要がある。データサーバ装置１０２には、図４あるいは図５で示されるように各番組素材の放送日時と番組の長さ等のデータが記録されているが、各番組素材のデータを記録しているわけではない。従って、例えば、図３に示す放送スケジュールに従って、例えば、３０分の放送番組であれば、ＣＭと映画番組で丁度３０分となるように編集してビデオサーバ装置１０７の記録領域１１１に収録する。例えば、Ａ社のＣＭ素材と映画番組１とで３０分の番組とする場合には、Ａ社ＣＭ１を１５秒、映画番組を２８分４５秒、Ａ社ＣＭ２を１分にそれぞれ編集し、合計３０分の放送番組にしてビデオサーバ装置１０７の記録領域１１１に収録する。なお、編集は、放送局では、極めて重要な業務であり、専用の編集装置（図示せず。）が備えられ、各種番組素材を編集し、校正しているが、詳細説明については省略する。
【００２７】
次に、ビデオサーバ装置１０７の記録領域１１１について図８を用いて説明する。図８は、ビデオサーバ装置１０７の記録領域１１１の記録領域を模式的に示している。８０１は、１０１番地〜１９９番地に記録されるＣＭ素材の記録領域を示している。同様に、８０２は、本編素材の記録領域、８０３は、音声素材の記録領域、８０４は、その他の放送素材の記録領域を示している。なお、図８に示す記録領域の区分は、システム構成や番組の構成に応じて適宜設定、変更を行うことができる。そして、これらの記録領域に記録されている番組素材は、上位システム１０１の自動放送システムから供給された素材ＩＤまたは番地を用いて送出制御部１１０は、ビデオサーバ装置１０７内の素材を検索し、キューアップ(放送開始可能状態にすること)し、放送開始命令に応じて、順次、キューアップされた素材をビデオサーバ装置１０７の記録領域１１１から読み出して出力端子１１３から放送装置（図示せず。）に送出する。これにより自動放送システムとしての動作が行われる。なお、このようなノンリニア放送システムでは、番組素材毎に記録領域を分けて記録し、放送時に必要とする番組素材を読み出し、放送することができるので、緊急時のプログラムの変更や、トラブルの対応としては、優れた放送システムといえる。
【００２８】
次に、本発明で用いられるビデオサーバ装置１０７の記録領域１１２（第２の記録領域）について説明する。先にも説明したようにノンリニア放送システムは、優れた放送システムであるが、ビデオサーバ装置１０７は、磁気ディスク装置、光ディスク装置、ＤＶＤ（Digital Versatile Disk）装置等のランダムアクセスが可能な記録装置で構成されている。従って、各番組素材を読み出すために記録領域１１１のアクセス頻度が多くなると、それに比例してビデオサーバ装置１０７へのアクセス失敗回数も増える。最近では、放送のためのアクセス回数が１日当たり数千回にもなり、放送時のオンエア事故となる。従って、本発明の一実施例では、アクセス回数を減らすために放送番組毎にパッケージにして記録領域１１２（第２の記録領域）に記録し、上位システム１０１の自動放送システムから供給された番組ＩＤを用いて送出制御部１１０は、ビデオサーバ装置１０７内の記録領域１１２を検索し、キューアップ(放送開始可能状態にすること)し、放送開始命令に応じて、順次、キューアップされた番組ＩＤに基づいてビデオサーバ装置１０７の記録領域１１２から一まとめの番組として読出し、出力端子１１３から放送装置（図示せず。）に送出する。これによってノンリニア放送システムのビデオサーバ装置１０７の記録領域１１１のアクセス回数を大幅に減らし、放送時のオンエア事故の減少あるいは皆無にする放送システムを実現するものである。以下、詳細に説明する。
【００２９】
まず、ビデオサーバ装置１０７の記録領域１１２に一まとめの番組の形成、即ち、番組毎にパッケージ化された番組の形成（パッケージ化）について説明する。操作者は、操作表示部１１４を操作して上位システム１０１に蓄積されている、例えば、図３に示される放送スケジュール（放送進行データともいう。）を制御用コンピュータ１０５に読み出し、操作表示部１１４に表示する。この放送スケジュールは、例えば、図３に示される２００６年７月２日の１日分の放送進行データである。操作者は、この放送スケジュールに従って手動または自動で、ビデオサーバ装置１０７の記録領域１１１に記録されている番組素材から該当する素材を読出し、パッケージ化し、一まとめの番組としてビデオサーバ装置１０７の記録領域１１２に記録する。この方法について詳細に説明する。
【００３０】
ビデオサーバ装置１０７には、多数の出力ポート（図示せず。）、即ち、出力端子が設けられている。例えば、出力ポート１は、図８に示すＣＭ素材の記録領域８０１からのＣＭ素材の出力ポートであり、出力ポート２は、本編素材の記録領域８０２からの本編素材の出力ポートである。同様に、それぞれの領域から番組素材が出力される出力ポートが出力ポート３、４、・・・のように設けられている。そして、制御用コンピュータ１０５は、放送スケジュールに基づいてスイッチャー１０８を切替えて、該当する番組素材を記録領域１１１から伝送路１１５を介して読出し、スーパーインポーズ装置１０９に供給する。
【００３１】
スーパーインポーズ装置１０９では、画像にテロップ等の文字や、親子画面等の必要な素材を重畳し、ビデオサーバ装置１０７の記録領域１１２に一まとめの番組毎に番組ＩＤを付して収録する。なお、素材等を重畳する必要がない場合には、スーパーインポーズ装置１０９は、バイパスされる。
【００３２】
図７は、例えば、２００６年７月２日の１日分の番組素材を番組毎にパッケージ化し、ビデオサーバ装置１０７の記録領域１１２（第２の記録領域）に記録した内容を示している。なお、番組素材が記録領域１１２に記録されると、記録領域１１２内のどの領域に記録されたかを示す記録アドレス情報が番組ＩＤと関連付けてデータサーバ１０２に記録される。その結果、図１０に示すデータテーブルがデータサーバ１０２に記録される。また、番組ＩＤは、例えば、１日分の１〜Ｎ個の番組ＩＤを示している。また、図９は、ビデオサーバ装置１０７の記録領域１１２に放送番組をパッケージ化した記録内容を模式的に示しており、９０１−１、９０１−２、・・・９０１−Ｎは、番組ＩＤを記録するエリア、９０２−１、９０２−２、・・・９０２−Ｎは、各放送番組のパッケージ化された番組素材を記録するエリア、即ち、番地を示している。
【００３３】
まず、図７および図１０において、番組ＩＤは、２００６年７月２日の１日分のＮ個の番組それそれに付されたＩＤ（または番号）である。そして、それぞれの番組ＩＤに関連付けて素材ＩＤ、放送開始日時、番組の長さ、番組のタイトル、記憶アドレス（番地）等がデータサーバ１０２に収録されている。例えば、２００６年７月２日のＭ番目の番組は、まず、素材ＩＤがＡＣ１、放送開始日時が２００６年７月２日、１２時００分００秒、番組の長さ１５秒、番組のタイトルＡ社ＣＭ１、データＣＭＤ１である。この番組の番組素材は、記録領域１１２の、例えば、番地９０２−Ｍに記録される。これについては後述する。従って、制御用コンピュータ１０５は、図３に示す放送スケジュールに従ってスイッチャー１０８を制御し、ビデオサーバ装置１０７の記録領域１１１内に蓄積されたＣＭ素材の素材ＩＤであるＡＣ１、本編素材の素材ＩＤであるＡＭ１、ＣＭ素材の素材ＩＤであるＡＣ２の順序でアクセスすることにより、Ａ社ＣＭ１、映画番組ＡＭ１、Ａ社ＣＭ２の順序で番組素材を読み出し、スイッチャー１０８、スーパーインポーズ装置１０９を介してビデオサーバ１０７の記録領域１１２の所定のアドレスに書き込まれる。Ａ社ＣＭ１、映画番組ＡＭ１、Ａ社ＣＭ２が書込まれると、この３つの番組素材が一括して記録領域１１２のどの領域に記録されたかを示す記録アドレス情報がデータサーバ１０２に送られ、Ｍ番目の番組の番組ＩＤと関連付けてデータサーバ１０２に記憶される。なお、この場合のＭ番目の番組のパッケージ化された番組素材の記録アドレスは、例えば、図９に示されるデータ記録エリア９０２−Ｍである。
【００３４】
これによって、２００６年７月２日のＭ番目の番組は、記憶エリア９０１−Ｍに番組ＩＤであるＩＤＭが記録され、そのデータ記憶エリア９０２−Ｍには、Ｍ番目の番組であるＣＭ１、Ｄ１、ＣＭ２がパッケージ化して記憶される。従って、上位システム１０１の自動放送システムから２００６年７月２日の放送スケジュールが番組ＩＤの順に、即ち、１、２、・・Ｍ、・・Ｎの順に制御用コンピュータ１０５に供給すると、制御用コンピュータ１０５は、送出制御部１１０によりビデオサーバ装置１０７の記録領域１１２の番組ＩＤエリア９０１を順次指定し、記憶エリア９０２から放送用のデータを読出し、出力端子１１３からオンエアすることで、２００６年７月２日の放送スケジュールが送出される。このように番組ＩＤで読み出した場合、先に説明したように番組放送時に個別の番組素材を順次アクセスする方法に比べて格段に記録領域へのアクセス回数が減少するので、ビデオサーバ装置１０７へのアクセス失敗回数も減少し、放送時のオンエア事故を皆無にするあるいは軽減することができる。なお、上記説明では、制御用コンピュータ１０５は、放送用と収録用に共用して説明したが、番組のパッケージ化用に別の制御用コンピュータを設けることもできる。
【００３５】
次に、本発明の他の一実施例を図１を用いて説明する。先に説明したようにビデオサーバ装置１０７の記録領域１１１には、ノンリニア放送システムとして、例えば、１日分の放送スケジュールに従って、各番組素材ごとに区分して蓄積され、これら番組素材が制御用コンピュータ１０５の制御に基づき送出制御部１１０を介してオンエアされることを説明した。一方、ビデオサーバ装置１０７の記録領域１１２には、１日分の放送スケジュールに従って、放送番組毎にパッケージ化した放送番組が収録され、同様に、制御用コンピュータ１０５の制御に基づき送出制御部１１０を介して放送番組がオンエアされる。換言すると、ビデオサーバ装置１０７は、２種類のデータが収録され、オンエア時には、いずれかのデータが使用される。従って、図１に示す本発明の一実施例は、二重系を構成している。即ち、上位システム１０１の放送管理コンピュータまたは制御用コンピュータ１０５に、一方が異常な状態を示した場合には、他方に切替える機能を設けることにより二重系の放送システムとして動作させることができる。
【００３６】
即ち、操作表示部１１４には、例えば、現在放送している素材を含む番組(複数の素材の集合)の識別コード、番組名、放送開始時刻、素材の長さ、素材の識別コード等、現在放送中の素材のデータ及び次に放送する予定の素材のデータなどが表示される。従って、この放送システムによれば、操作表示部１１４を見ることにより、放送プログラムが予定通りに進んでいるか否かを知り、放送進行状況を確認することができ、異常が発生した場合、操作表示部１１４を操作して送出制御部１１０への出力を切替えることで、異常動作を回避することが可能である。なお、二重系の放送システムでは、常に両方の機能を平行して動作させておき、異常が発生した場合、他方に切替えるように構成することはいうまでもない。
【００３７】
以上、本発明について詳細に説明したが、本発明は、ここに記載された放送システムの実施例に限定されるものではなく、上記以外の放送システムに広く適応することが出来ることは、言うまでも無い。
【図面の簡単な説明】
【００３８】
【図１】本発明の一実施例の概略構成のブロック図を示す。
【図２】従来のノンリニア放送システムの一例を説明するための図である。
【図３】ノンリニア放送システムの放送スケジュールを説明するための図である。
【図４】本発明の番組素材のデータサーバの一実施例を示す図である。
【図５】本発明の番組素材のデータサーバの他の一実施例を示す図である。
【図６】本発明のビデオサーバ装置に収録される番組素材の一実施例を示す図である。
【図７】本発明のビデオサーバ装置に収録される番組素材の他の一実施例を示す図である。
【図８】本発明のビデオサーバ装置の記録領域の一実施例を示す図である。
【図９】本発明のビデオサーバ装置の記録領域の他の一実施例を示す図である。
【図１０】本発明の番組素材のデータサーバの他の一実施例を示す図である。
【符号の説明】
【００３９】
１０１：上位システム、１０２：番組素材のデータサーバ、１０３：映像音声素材供給部、１０４：映像音声再生装置、１０５：制御用コンピュータ、１０６：バスライン、１０７、２０４：ビデオサーバ装置、１０８：スイッチャー、１０９：スーパーインポーズ装置、１１０、２０３：送出制御部、１１１、１１２：記録領域、１１３：出力端子、１１４：操作表示部、１１５：伝送路、１１６：入力端子、２０１：放送管理コンピュータ、２０２：自動放送システム、２０５：モニタ、２０６：番組素材、２０７：送出素材、８０１：ＣＭ素材の記録領域、８０２：本編素材の記録領域、８０３：音声素材の記録領域、８０４：その他の素材の記録領域、９０１：番組ＩＤの記録エリア、９０２：データの記録エリア。
【図１】
2008028703.tif 000003
【図２】
2008028703.tif 000004
【図３】
2008028703.tif 000005
【図４】
2008028703.tif 000006
【図５】
2008028703.tif 000007
【図６】
2008028703.tif 000008
【図７】
2008028703.tif 000009
【図８】
2008028703.tif 000010
【図９】
2008028703.tif 000011
【図１０】
2008028703.tif 000012